(57)【要約】  容器（１２）内に飲料冷却手段（１１）を保持する装置（１０）を開示する。  前記装置は、容器係合部（１４）と、前記飲料冷却手段（１１）に係合する手段（１６）を備え、前記飲料冷却手段（１１）に係合する手段（１６）は、前記容器（１４）係合部に対して、飲料冷却手段にスライドする関係で移動することを可能にする。【選択図】  図１
2011503512.tif 000002
【特許請求の範囲】
【請求項１】
容器内に飲料冷却手段を保持する装置であって、
容器係合部と、前記容器冷却手段に係合する手段とを備え、
前記飲料冷却手段に係合する手段は、前記容器係合部に対して、前記飲料冷却手段にスライド関係で移動することを可能にすることを特徴とする飲料冷却手段を保持する装置。
【請求項２】
前記容器係合部は、アームを備え、
前記アームの近位端は、容器の枠に係合するように配置されるクリップに固定されることを特徴とする請求項１に記載の装置。
【請求項３】
前記飲料冷却手段に係合する手段は、前記アームの遠位端に配置されることを特徴とする請求項１または２に記載の装置。
【請求項４】
前記飲料冷却手段に係合する手段は、ヨークを備えることを特徴とする請求項１乃至３のいずれか一項に記載の装置。
【請求項５】
前記ヨークは、前記ヨークのそれぞれの終端から前記ヨークのほぼ内側に向かって延伸する突起を有することを特徴とする請求項４に記載の装置。
【請求項６】
前記飲料冷却手段は、前記容器内で上下に移動するように、前記飲料冷却手段がヨークに対してスライドする関係で移動できるように、突起が内部に延伸されて、反対側に沿って延伸する一対の溝を有することを特徴とする請求項５に記載の装置。
【請求項７】
前記飲料冷却手段は、液体またはジェルを保持するハウジングを有し、
前記液体またはジェルは、前記飲料に冷却効果を提供するように、前記飲料から熱を奪う位置に配置されることを特徴とする請求項１乃至６のいずれか一項に記載の装置。
【請求項８】
前記ハウジングは、シールされ、利用者は、前記ハウジングを利用する前に、前記液体またはジェルを凍らせる必要があることを特徴とする請求項７に記載の装置。
【請求項９】
前記ハウジングは、前記ハウジング内の区画内にアイスキューブを挿入できるように開封可能であることを特徴とする請求項７に記載の装置。
【請求項１０】
前記飲料冷却手段は、前記ヨークの前記突起を受けるためにその反対側に形成された溝を含むアイスキューブを有することを特徴とする請求項５に記載の装置。
【請求項１１】
飲料冷却装置であって、
前記飲料内に浸されて配置される本体部と、前記飲料が内部に提供される容器に係合する容器係合部とを備え、
前記容器係合部はさらに、前記本体部が前記容器係合部に対してスライドする関係で移動可能なように、前記本体部と係合する手段を有することを特徴とする飲料冷却装置。
【請求項１２】
前記本体部は、前記飲料を冷却するために前記飲料から熱を奪う位置に配置されることを特徴とする請求項１１に記載の飲料冷却装置。
【発明の詳細な説明】
【技術分野】
【０００１】
本発明は、容器内に飲料冷却手段を保持する装置に関する。
【０００２】
飲料に一以上のアイスキューブを追加することで、飲料を冷やすことは良く知られている。しかしながら、この構成の不都合な点は、氷が作られる元となる水が微生物を含む可能性があり、氷が融けるにつれて、飲料とともに摂取される場合、害を及ぼす可能性がある。
【０００３】
アイスキューブの他の不都合な点は、氷が融けるにつれて、水は、飲み物を薄めてしまい、飲み物のその全体的な濃度と味を低減させてしまう。
【発明の概要】
【発明が解決しようとする課題】
【０００４】
米国特許第４，３２５，２３０号明細書では、内部にアイスキューブを配置可能であり、シール可能な立体ハウジングを備える装置を提供することにより、上記問題の解決を試みている。使用にあたり、一以上のそのような装置は、凍らされ、その後飲み物へと加えることができる。その氷は、ハウジング内に収容され、それゆえに、その融解につれて飲料の品質を落とす、または薄めることがない。使用後、装置は洗われ、再利用できる。他の実施形態において、水の本体は、ハウジング内に永久にシールされ、装置本体は、利用する前に凍らされる。
【０００５】
氷および上述の装置の不都合な点は、特に飲料の表面にそれらが浮かんでいるままでは、それらは容易に飲み込まれやすい。英国特許第２４２８４６４号明細書は、容器に係合し、冷却手段に固定されるアームを提供することにより、容器の底近くに冷却手段を位置させることを可能にして、この問題を解決している。しかしながら、飲料が摂取されるにつれて、飲料内に浸されたままにするように、容器内の下方に冷却手段を再配置する必要がでてくる。
【０００６】
さらには、小さ過ぎる容器は、飲料内に冷却手段を配置するために、アームが容器の内部周辺に巻きつけられなければならないことの要因となるので、アームの利用は、特定の高さを有する容器に限定され、これは、容器から飲む人の能力に影響を与える可能性がある。逆に、背の高い容器では、アームは、飲料を冷やすために容器の底へ冷却手段を届けることを可能にするには、多くの場合短すぎる。
【０００７】
私は今、上述した問題を緩和する、容器内に飲料冷却手段を保持する装置を考案した。
【課題を解決するための手段】
【０００８】
本発明に関し、第一の態様として、容器内に飲料冷却手段を保持する装置を提供し、装置は、容器係合部と、飲料冷却手段に係合する手段とを備え、飲料冷却手段に係合する手段は、飲料冷却手段に、容器係合部に対してスライドする関係で移動することを可能にする。容器係合部に対してスライドする飲料冷却手段の能力は、さまざまな高さを有する容器の底に、飲料冷却手段を位置させることを可能にする。容器係合部は、アームを備え、その近位端は、容器の枠に係合するように配置されるクリップに固定されているのが好ましい。
【０００９】
好ましくは、飲料冷却手段に係合する手段は、アームの遠位端に配置され、かつアームの不可欠な一部にされてもよいヨークを備えるのが好ましい。ヨークは、ヨークのそれぞれの終端から、ほぼ内側に伸びる突起を備えるのが好ましい。
【００１０】
飲料冷却手段は、その内部で突起が延伸されて、その反対側に沿って延伸する一対の溝を備えるのが好ましい。この方法で、容器内で上下に移動するように、飲料冷却手段がヨークに対してスライドする関係で移動することが可能なので、本発明の装置は、異なる高さを有する容器の枠へ固定されうる。飲料冷却手段は、装置のさまざまな作業長を提供するように突起をスライドでき、したがって、異なる高さを有する容器に適用できる。
【００１１】
ヨークは、突起が飲料冷却手段内に形成される溝内にスナップフィットできるように配置される。
【００１２】
好ましくは、飲料冷却手段は、液体またはジェルを保持するハウジングを備え、飲料に冷却効果を提供するように、液体またはジェルは、飲料から熱を奪うように配置される。ハウジングは、好ましくはシールされており、利用者は、利用する前に、ハウジング内の液体またはジェルを凍らせる必要がある。そのほかにも、ハウジングは、ハウジング内の区画内にアイスキューブを挿入できるように、開封可能であるのが好ましい。
【００１３】
さらには、飲料冷却手段は、ヨークの突起を受けるためにその反対側に形成される溝を備えるアイスキューブであってもよい。
【００１４】
本発明に関し、第二の形態のように、飲料冷却装置を提供し、装置は、飲料内に浸すように配置される本体部と、飲料が内部に提供される容器に係合する容器係合部を備え、本体部が容器係合部に対してスライドする関係で移動可能なように、容器係合部は、本体部に係合する手段をさらに有する。
【００１５】
好ましくは、本体部は、飲料を冷却するために飲料から熱を奪うように配置される。
【図面の簡単な説明】
【００１６】
本発明の好ましい実施形態は、ほんの一例として、添付図面を参照して記述される。
【図１】ワイングラス内部に固定された本発明の装置の側面図である。
【図２】飲料冷却手段上で第一の位置にあるヨークの拡大斜視図である。
【図３】飲料冷却手段上で第二の位置にあるヨークの拡大斜視図である。
【図４】半パイントグラス内に固定される本発明の装置の側面図である。
【発明を実施するための形態】
【００１７】
図１から３に関して、たとえばワイングラスである、容器１２内に飲料冷却手段１１を保持する装置１０を提供する。装置１０は、ほぼ全てプラスチック材料で形成可能であり、アーム１３を備え、容器１２内に延伸するとともに飲料冷却手段１１に係合し、容器１２内に提供される飲料（図示しない）を冷却するように機能する。アーム１３は、たとえば、ワイングラスの内部輪郭に沿って曲げられてもよく（図１から３参照）、または容器１２の底へ向かう方向にほぼ直線で延伸する（図４参照）。
【００１８】
アーム１３の一番外側の部位は、自身に折りたたまれて、容器１２の枠１５に係合する、フッククリップ１４を定義する。歯またはエラストマーグリップ部材（ｅｌａｓｔｏｍｅｒｉｃ ｇｒｉｐｐｉｎｇ ｍｅｍｂｅｒｓ）（図示しない）は、容器１２の枠１５をしっかりと掴むために、フッククリップ１４の反対側面上に提供されるのが好ましい。
【００１９】
容器１２内に延伸するアーム１３の終端は、ヨーク１６に固定され、またはヨーク１６は、アーム１３の不可分な一部にされてもよい。ヨーク１６は、一対の突起１７を備える。一対の突起１７のそれぞれは、ヨーク１６のそれぞれの終端から、ヨーク１６の内側に、半径方向に延伸し、かつ飲料冷却手段１１の反対側に形成された溝１８内にフィットするような大きさを有する。溝１８は、飲料冷却手段１１の反対側に互いにほぼ平行に延伸し、突起にスライドさせることにより、飲料冷却手段１１が容器１２内で上下に移動可能なように方向付けされる。溝１８に係合する突起１７の終端は、ほぼ水平である一方、ヨーク１６に対して飲料冷却手段１１の任意の回転を最小限に抑えるように、両側につき合わせられている。
【００２０】
飲料冷却手段１１は、図４に示すように、飲料を冷却するように飲料から熱を奪う液体またはジェル、またはさらに単純にアイスキューブ２０を封入したハウジング１９を備えてもよい。
【００２１】
使用において、たとえば、突起がそこに形成された溝１８に延伸するように、ヨーク１６は、アイスキューブ２０の周囲に配置され、またアーム１３および上述の飲料冷却手段１１が容器１２内に延伸するように、クリップ１４は、容器１２の枠１５に固定される。クリップ１４が容器１２の枠１５の上に押し下げられるにつれて、アイスキューブ２０は、容器１２の底に係合し、溝１８内で突起１７がアイスキューブ２０を滑り落ちるだけ、アーム１３および上述のヨーク１６は、容器１２内にさらに押し下げられても良い。このように、溝１８の長さは、そこの中で装置１０がアイスキューブ２０または他の冷却手段１１を容器１２の底に配置して利用されることができる、容器頂点の高さまでの幅を提供する。
【００２２】
非常に背の高い容器の場合、図４に示すように、ヨーク１６に固定されているアイスキューブ２０をその上に位置することにより、いくつかのアイスキューブ２０は、容器内に配置されて、容器１２の底に向かって保持されてもよい。
【００２３】
アイスキューブ２０は、飲料を冷やすように、容器１２内に含まれる飲料から熱を奪う。必要に応じて、複数の装置１０は、容器１２に配置されてもよい。
【００２４】
本発明に係る装置は、構造において単純かつ安価であるが、容器内に保持される飲料内に氷および他の飲料冷却本体を保持する安全かつ信頼できる方法である。
【図１】
2011503512.tif 000003
【図２】
2011503512.tif 000004
【図３】
2011503512.tif 000005
【図４】
2011503512.tif 000006
【国際調査報告】
2011503512.tif 000007
2011503512.tif 000008